(57)【要約】【課題】小型で取り扱いに優れ、さまざまな角度から確認可能な表示部を持った撮像装置を提供すること。【解決手段】撮像装置本体部と、レンズ部またはレンズ装着部と、前記本体部とヒンジ部にて開閉及び回動自在に接続された表示部と、前記ヒンジ部は前記本体部の背面部と側面部とがなす角部近傍に配置され、前記ヒンジ部により、前記表示部は前記レンズ部の配置側と前記本体部を挟んで反対側の第１の位置と、前記表示部は表示面が前記本体部の側面部と略平行になる第２の位置まで開閉可能であることを特徴とする。【選択図】図５
2016053660.tif 000002
【特許請求の範囲】
【請求項１】
撮像装置本体部と、レンズ部またはレンズ装着部と、前記本体部とヒンジ部にて開閉及び回動自在に接続された表示部と、
前記ヒンジ部は前記本体部の背面部と側面部とがなす角部近傍に配置され、
前記ヒンジ部により、前記表示部は前記レンズ部の配置側と前記本体部を挟んで反対側の第１の位置と、前記表示部は表示面が前記本体部の側面部と平行になる第２の位置まで開閉可能であることを特徴とする撮像装置。
【請求項２】
前記第１の位置から第２の位置に移動する間にあり、前記本体部の光軸方向への投影領域の外に前記表示部がある第３の位置を持ち、前記第３の位置にて軽保持可能な軽保持構造を持つことを特徴とする請求項１に記載の撮像装置。
【請求項３】
前記表示部の表示面側には撮像装置操作用の操作部が配置されていることを特徴とする請求項１又は請求項２に記載の撮像装置。
【請求項４】
前記ヒンジ部は表示部側締結部、本体側締結部、及び回転軸、開閉軸にて形成され、前記本体側締結部は金属にて形成され、側面部と平行な第１の面と、背面部に平行な第２の面を持ち、前記第１の面と第２の面の間に、前記第１の面及び第２の面に対し斜めとなる第３の面を持つことを特徴とする請求項１乃至請求項３の何れか一項に記載の撮像装置。
【請求項５】
前記表示部の開閉状態を検知する検知部をもち、前記検知部は前記ヒンジ部を覆うヒンジカバー部に配置されていることを特徴とする請求項１乃至請求項４の何れか一項に記載の撮像装置。
【発明の詳細な説明】
【技術分野】
【０００１】
本発明は、撮像装置に関し、特に本体部及び表示部の配置及び動作に関する。
【背景技術】
【０００２】
従来の撮像装置においては、撮影される映像を確認するための表示部を持つものが多い。また、特に業務用途のビデオカメラ等の撮像装置においては、さまざまな角度、保持方法で撮影を行う関係上、表示部は様々な角度で使用できることが望ましい。
【０００３】
特許文献１には、撮像装置本体に取り付くアクセサリー部に様々な角度に動かすことが可能な表示部を持つような撮像装置が開示されている。また、特許文献２のように、撮影時保持するハンドル部と本体部の間に表示部を配置したような撮像装置も開示されている。
【先行技術文献】
【特許文献】
【０００４】
【特許文献１】特開２０１３−９７１１６号公報
【特許文献２】特許第４２９３２５６号公報
【発明の概要】
【発明が解決しようとする課題】
【０００５】
しかしながら、上記特許文献１では、アクセサリー部に搭載された表示部のため、どうしても大型化してしまう、取り扱い難い、等の問題点がある。また、上記特許文献２では、真後ろから確認が困難、側面からの表示面確認ができず、用途が制限されてしまう、等の問題点がある。
【０００６】
そこで、本発明の目的は、小型で取り扱いに優れ、さまざまな角度から確認可能な表示部を持った撮像装置を提供することとする。
【課題を解決するための手段】
【０００７】
本発明の撮像装置は、
撮像装置本体部と、レンズ部またはレンズ装着部と、前記本体部とヒンジ部にて開閉及び回動自在に接続された表示部と、
前記ヒンジ部は前記本体部の背面部と側面部とがなす角部近傍に配置され、
前記ヒンジ部により、前記表示部は前記レンズ部の配置側と前記本体部を挟んで反対側の第１の位置と、前記表示部は表示面が前記本体部の側面部と略平行になる第２の位置まで開閉可能であることを特徴とする。
【０００８】
また、本発明の他の特徴とするところは、
前記第１の位置から第２の位置に移動する間にあり、前記本体部の光軸方向への投影領域の外に前記表示部がある第３の位置を持ち、
前記第３の位置にて軽保持可能な軽保持構造を持つことを特徴とする。
【０００９】
また、本発明のその他の特徴とするところは、
前記表示部の表示面側には撮像装置操作用の操作部が配置されていることを特徴とする。
【００１０】
また、本発明の他の特徴とするところは、
前記ヒンジ部は表示部側締結部、本体側締結部、及び回転軸、開閉軸にて形成され、
前記本体側締結部は金属にて形成され、側面部と略平行な第１の面と、背面部に略平行な第２の面を持ち、
前記第１の面と第２の面の間に、前記第１の面及び第２の面に対し斜めとなる第３の面を持つことを特徴とする。
【００１１】
また、本発明の他の特徴とするところは、
前記表示部の開閉状態を検知する検知部をもち、
前記検知部は前記ヒンジ部を覆うヒンジカバー部に配置されていることを特徴とする。
【発明の効果】
【００１２】
本発明によれば、小型で取り扱いに優れ、さまざまな角度から確認可能な表示部を持った撮像装置を提供することができる。
【図面の簡単な説明】
【００１３】
【図１】本発明の実施形態にかかわる撮像装置の表示部収納状態での右後方斜視図。
【図２】表示部１２０を開いた状態での撮像装置の右後方斜視図。
【図３】表示部１２０を開いた状態での撮像装置の右前方斜視図。
【図４】表示部１２０を反転収納した状態での撮像装置の右後方斜視図。
【図５】表示部１２０を本体右側面部１０３側まで開いた状態での撮像装置の右後方斜視図。
【図６】表示部１２０を本体右側面部１０３側まで開いた状態での撮像装置の右側面図。
【図７】表示側ヒンジカバー３１０及び本体側ヒンジカバー３２０を外したヒンジ部１３０近傍の右後方斜視図。
【図８】本体側ヒンジカバー３２０を外した状態での右上側面視のヒンジ部１３０近傍拡大図。
【図９】本発明の実施形態にかかわる撮像装置の背面視図。
【図１０】図９の背面視図の中のＡ−Ａ断面で切ったヒンジ部１３０近傍の断面拡大図。
【図１１】図５の状態での図１０と同一箇所での断面拡大図。
【図１２】図１の状態で本体側ヒンジカバー３２０を外した下側面側からのヒンジ部１３０近傍拡大図。
【図１３】図２の状態で本体側ヒンジカバー３２０を外した下側面側からのヒンジ部１３０近傍拡大図。
【発明を実施するための形態】
【００１４】
以下、本発明を実施するための形態を図面に基づいて説明する。
【００１５】
図１は本発明の実施形態にかかわる撮像装置の表示部収納状態での右後方斜視図である。撮像装置１００は、本体部１０１上に配置された電源スイッチ部１０２、レンズ光軸方向レンズ側から見た、本体右側面部１０３、バッテリーボックス部１０４、交換レンズ部１１０、表示部１２０、ヒンジ部１３０、ファインダー部１５０、外部接続部１６０等から構成されている。表示部１２０は本体側とヒンジ部１３０を介して開閉方向及び回転方向に回動可能につながっている。また、図１の状態では、表示部１２０は本体背面側に収納された状態となっている。
【００１６】
ヒンジ部１３０は、本体部１０１の本体右側面部１０３と本体背面カバー部１０６（位置後述）との角部もしくはその近傍に配置され、ヒンジ開閉軸１３０ａを光軸と垂直な方向に持つ。また、ヒンジ開閉軸１３０ａに垂直なヒンジ回転軸１３０ｂを持ち、表示部１２０を短辺方向にも回転可能となっている。また、ヒンジ部１３０は表示側ヒンジカバー３１０及び本体側ヒンジカバー３２０によって内部構造をカバーしており、ゴミの侵入や強度アップ、外観上の見え向上等を行っている。
【００１７】
図２に表示部１２０を開いた状態での撮像装置の右後方斜視図、図３に表示部１２０を開いた状態での撮像装置の右前方斜視図を示す。
【００１８】
図２に示すように、表示部１２０を図１の状態からヒンジ部１３０のヒンジ開閉軸１３０ａを中心に１８０度開いた状態では、本体背面カバー部１０６に配置された背面スイッチ部１０７、及びカード状記録媒体２２０（図示せず）を保護する蓋部２００が外観面に露出する。また、着脱可能なバッテリー１４０がバッテリーボックス部１０４に収納されている。
【００１９】
表示部１２０には、図１の収納状態では本体部１０１の側を向いて外部に露出していなかった、表示面部１２１、及び操作用十字スイッチ部１２２、パネルスイッチ部１２３が配置されている。また、図３に示すように交換レンズ１１０は交換レンズマウント部１１１によって本体部１０１に取り付き、さまざまな交換レンズ（図示せず）と交換して取り付けることが可能となっている。交換レンズ部１１０は交換レンズ着脱ノブ１１２によって交換レンズマウント部１１１からのロック／アンロック動作を行うことにより着脱可能になっている。
【００２０】
また本体部１０１のレンズ光軸方向レンズ側から見た、左側面部１０９にはグリップトリガ部１７１等が配置された着脱可能なグリップ部１７０を持ち、撮像装置１００をしっかりとホールドして撮影可能となっている。さらに、ヒンジ部１３０が配置されている側と反対側の面にグリップ部１７０を配置することにより、撮影者がグリップ部１７０を右手で保持しながら、表示部１２０の表示面部１２１を目で確認する際にも左腕や左手が邪魔することなく撮影を行うことが可能となっている。
【００２１】
さらに図２及び図３の状態で、ヒンジ部１３０はクリック部（図示せず）を持ち、０°及び１８０°の部分にクリック感を持つ構成となっており、０°の収納状態及び１８０°開いた状態をより保持しやすくなっている。これによりたとえば操作用十字スイッチ部１２２、パネルスイッチ部１２３にも簡単に動いたりすることがなく、撮影者の通常使用時の使用感を高めている。
【００２２】
図４に表示部１２０をヒンジ回転軸１３０ｂを中心として１８０°反転収納した状態での撮像装置の右後方斜視図を示す。
【００２３】
本発明においては、表示部１２０はヒンジ部１３０によって図４のように表示面部１２１を外観面としてヒンジ回転軸１３０ｂを中心とした回転で反転収納可能に本体部１０１と連結されている。これにより、表示部１２０が本体部１０１の外形内に収まり、狭い場所や小型が求められるような状況で撮像装置１００を使用したい際に使いやすい構成となっている。
【００２４】
図５に表示部１２０をヒンジ部１３０のヒンジ開閉軸１３０ａを中心として約２７０°開いた本体右側面部１０３側まで開いた状態での撮像装置の右後方斜視図、図６に表示部１２０をヒンジ部１３０のヒンジ開閉軸１３０ａを中心として約２７０°開いた本体右側面部１０３側まで開いた状態での撮像装置の右側面図を示す。
【００２５】
本発明では特に本体右側面部１０３側からも撮影状態が確認できるように図５，６に示すように本体右側面部１０３側までヒンジ部１３０により表示部１２０の表示面部１２１を向けることが可能となっている。これにより様々な撮影スタイルで撮影することが可能である。また、本体右側面部１０３まで表示部１２０が開くことを可能にするため、ヒンジ部１３０は本体右側面部１０３と本体背面カバー部１０６との角部近傍に配置している。
【００２６】
図７に表示側ヒンジカバー３１０及び本体側ヒンジカバー３２０を外したヒンジ部１３０近傍の右後方斜視図の拡大図を示す。
【００２７】
ヒンジ部１３０は表示側ヒンジカバー３１０内に表示部１２０のヒンジ回転軸１３０ｂ方向の回転用の回転軸部３１１、回転軸保持部３１２、回転検出部３１３、及び回転検出スイッチ３１４を持つ。表示部１２０をヒンジ回転軸１３０ｂ方向に回転させる際には、ヒンジ回転軸１３０ｂを中心として表示部１２０が回転する構造となっており、またその際には、回転軸部３１１に設けられた回転軸突起部３１１ａにより回転検出部３１３上の回転検出スイッチ３１４が作動し、画面の上下反転等を行うことが可能である。
【００２８】
本体側ヒンジカバー３２０内には、本体上側開閉軸部３０１及び本体下側開閉軸部３０２、本体上側保持部３０３、本体下側保持部３０４、開閉検出部３０６及び開閉検出スイッチ３０７を持つ。表示部１２０をヒンジ開閉軸１３０ａ中心で開閉させる際には、本体上側開閉軸部３０１及び本体下側開閉軸部３０２によりヒンジ開閉軸１３０ａを中心として表示部１２０が開閉方向に回転する構造となっている。ヒンジ部１３０は本体上側保持部３０３及び本体下側保持部３０４により本体部１０１と固定される構造となっている。
【００２９】
また、回転軸３１１及び本体上側開閉軸３０１は回転軸及び開閉軸中心が中空となっており、その部分を本体部１０１と表示部１２０を電気的に接続する接続ワイヤ部３０５を通す構造となっている。
【００３０】
図８に本体側ヒンジカバー３２０を外した状態での右上側面視のヒンジ部１３０近傍拡大図、図９に撮像装置の背面視図、図１０に図９の背面視図の中のＡ−Ａ断面で切ったヒンジ部１３０近傍の断面拡大図、図１１に図５の状態での図１０と同一箇所での断面拡大図を示す。
【００３１】
図１０及び図１１に示されるように、表示部１２０をヒンジ部１３０のヒンジ開閉軸１３０ａを中心として背面から右側面まで自在に開閉できるようにするため、ヒンジ部１３０及び本体側ヒンジカバー３２０に表示部１２０が開閉軌跡上干渉しないように構成する必要があり、そのために、本体側ヒンジカバー３２０と上側斜め保持部３０３ａによって成される開閉軸‐本体間空間部３５０は本体上側開閉軸部３０１及び本体下側開閉軸部３０２近傍よりも空間を狭くする必要がある。
【００３２】
よって、図８及び図１０、図１１に示すように、本体上側保持部３０３及び本体下側保持部３０４は、金属板金等の強度が高い部材で構成され、レンズ光軸方向に略平行な面を持った上側開閉軸側保持部３０３ｂ及び下側開閉軸側保持部３０４ｂ（後述）から、一度レンズ光軸に対し斜めになる面を持った上側斜め保持部３０３ａ及び下側斜め保持部３０４ａを経由した上で、レンズ光軸と略垂直な面を持った上側本体側保持部３０３ｃ及び下側本体側保持部３０４ｃで本体部１０１と固定される。このような構成をとることにより、図１０に示すように、本体側ヒンジカバー３２０と上側斜め保持部３０３ａによって成される開閉軸‐本体間空間部３５０に接続ワイヤ部３０５を通している。
【００３３】
図１２に図１の状態で本体側ヒンジカバー３２０を外した下側面側からのヒンジ部１３０近傍拡大図、図１３に図２の状態で本体側ヒンジカバー３２０を外した下側面側からのヒンジ部１３０近傍拡大図を示す。
【００３４】
本体下側保持部３０４の下側開閉軸側保持部３０４ｂ部には開閉検出部３０６が搭載され、開閉検出部３０６に搭載された開閉検出スイッチ３０７によって表示部１２０の開閉状態を検出する構成になっている。図１２の状態では、本体下側開閉軸３０２の開閉軸突起部３０２ａによって、開閉検出スイッチ３０７の検出部が押されることによりＯＮ状態となっており、図１３の状態では開閉軸突起部３０２ａが本体下側開閉軸３０２の回転により図の上側へ逃げ、開閉検出スイッチ３０７の検出部がＯＦＦの状態となることに加え、表示部１２０の回転状態をを検出する回転検出スイッチ３１４の状態と合わせることにより表示部１２１の表示状態をどのようにするかを判断することができる。これら表示状態をどうするかについては、従来の直交２軸ヒンジを用いた撮像装置と同様のため省略する。
【００３５】
さらに本検出部分は本体側ヒンジカバー３２０によって外観に出ることがなく、撮像装置１００の外観の品位を高め、水滴や塵、埃等による誤検出を起こさせない構造となっている。
【００３６】
これまで述べてきた構成をとることにより、小型で取り扱いに優れ、さまざまな角度から確認可能な表示部を持った撮像装置を提供することができる。
【００３７】
以上、本発明の好ましい実施形態について説明したが、本発明はこれらの実施形態に限定されず、その要旨の範囲内で種々の変形及び変更が可能である。
【符号の説明】
【００３８】
１００  撮像装置、１０１  本体部、１０２  電源スイッチ部、１０３  本体右側面部、
１０４  バッテリーボックス部、１０６  本体背面カバー部、１０７  背面スイッチ部、
１０９  左側面部、１１０  交換レンズ部、１１１  交換レンズマウント部、
１１２  交換レンズ着脱ノブ、１２０  表示部、１２１  表示面部、
１２２  操作用十字スイッチ部、１２３  パネルスイッチ部、１３０  ヒンジ部、
１３０ａ  ヒンジ開閉軸、１３０ｂ  ヒンジ回転軸、１４０  バッテリー、
１５０  ファインダー部、１６０  外部接続部、１７０  グリップ部、
１７１  グリップトリガ部、２００  蓋部、２２０  カード状記録媒体、
３０１  本体上側開閉軸部、３０２  本体下側開閉軸部、３０２ａ  開閉軸突起部、
３０３  本体上側保持部、３０３ａ  上側斜め保持部、３０３ｂ  上側開閉軸側保持部、
３０３ｃ  上側本体側保持部、３０４  本体下側保持部、３０４ａ  下側斜め保持部、
３０４ｂ  下側開閉軸側保持部、３０４ｃ  下側本体側保持部、３０５  接続ワイヤ部、
３０６  開閉検出部、３０７  開閉検出スイッチ、３１０  表示側ヒンジカバー、
３１１  回転軸部、３１１ａ  回転軸突起部、３１２  回転軸保持部、
３１３  回転検出部、３１４  回転検出スイッチ、３２０  本体側ヒンジカバー、
３５０  開閉軸‐本体間空間部
【図１】
2016053660.tif 000003
【図２】
2016053660.tif 000004
【図３】
2016053660.tif 000005
【図４】
2016053660.tif 000006
【図５】
2016053660.tif 000007
【図６】
2016053660.tif 000008
【図７】
2016053660.tif 000009
【図８】
2016053660.tif 000010
【図９】
2016053660.tif 000011
【図１０】
2016053660.tif 000012
【図１１】
2016053660.tif 000013
【図１２】
2016053660.tif 000014
【図１３】
2016053660.tif 000015